(57)【特許請求の範囲】
【請求項１】
外壁（５０）から導出された少なくとも換気用配管（５１）を覆う配管カバーにおいて、
外壁（５０）に取付けられる配管カバー本体（２）と、
前記配管カバー本体（２）に着脱可能に取付けられる防虫フィルター（３）と、
前記防虫フィルター（３）の外側を覆う状態で前記防虫フィルター（３）に着脱可能に取付けられる防虫フィルターカバー（４）と、
前記防虫フィルター（３）と前記配管カバー本体（２）との間に設けられ、回転を伴う操作により前記防虫フィルター（３）を前記防虫フィルターカバー（４）と一緒に前記配管カバー本体（２）に対し係脱させる回転係脱手段（１０）とを具備することを特徴とする配管カバー。
【請求項２】
請求項１に記載の配管カバーにおいて、
前記回転係脱手段（１０）は、前記配管カバー本体（２）及び前記防虫フィルター（３）の一方に形成された円形孔（１１）の内周面（１１ａ）に設けられた凹部（１２ａ）と、前記配管カバー本体（２）及び前記防虫フィルター（３）の他方に形成され、前記円形孔（１１）に嵌め込むことにより位置決めされる環状突起（１３）と、前記環状突起（１３）に形成され、前記環状突起（１３）を前記円形孔（１１）に対して所定角度に回転させたときに前記凹部（１２ａ）に係脱可能な突出部（１４ａ）とを有することを特徴とする配管カバー。
【請求項３】
請求項２に記載の配管カバーにおいて、
前記環状突起（１３）は、前記防虫フィルター（３）の回転に伴って前記突出部（１４ａ）を前記円形孔（１１）の内周面（１１ａ）の凹凸に応じて環状突起（１３）の内外方向へ変位させる弾性変位部（１３ａ）を有し、前記防虫フィルター（３）が所定の角度から他の角度へ回転するときに、前記弾性変位部（１３ａ）が前記円形孔（１１）の内側へ変位することに伴って前記突出部（１４ａ）が前記凹部（１２ａ）から抜け出ることで、前記防虫フィルター（３）を前記配管カバー本体（２）から外すことができるようになっていることを特徴とする配管カバー。
【請求項４】
請求項１乃至３のいずれかに記載の配管カバーにおいて、
前記防虫フィルターカバー（４）と前記防虫フィルター（３）との間に、前記防虫フィルター（３）に対して前記防虫フィルターカバー（４）を、引き抜き・押し付けを伴う操作により着脱可能に取付けるための直動係脱手段（２０）が設けられていることを特徴とする配管カバー。
【請求項５】
請求項４に記載の配管カバーにおいて、
前記直動係脱手段（２０）は、前記防虫フィルターカバー（４）及び前記防虫フィルター（３）のうちの一方に設けられた凹状係止部（３ｇ）と、前記防虫フィルターカバー（４）及び前記防虫フィルター（３）のうちの他方に設けられ、前記凹状係止部（３ｇ）に係止される凸状被係止部（２２ａ）とを有することを特徴とする配管カバー。
【請求項６】
請求項５に記載の配管カバーにおいて、
前記防虫フィルターカバー（４）は前記防虫フィルター（３）の側面（３ｆ）を覆う側壁部（４ｂ）を有し、前記防虫フィルター（３）の側面（３ｆ）および前記防虫フィルターカバー（４）の側壁部（４ｂ）のうちの一方に、他方に嵌着される突条部（２３）が形成されていることを特徴とする配管カバー。
【請求項７】
請求項１乃至６のいずれかに記載の配管カバーにおいて、
前記防虫フィルター（３）と前記配管カバー本体（２）との間に、前記防虫フィルター（３）が前記配管カバー本体（２）から落下することを防止する落下防止手段（１３ｃ、１１ｂ）が設けられていることを特徴とする配管カバー。
【発明の詳細な説明】
【技術分野】
【０００１】
本発明は、例えば建物外壁の外側に屋内から導出された配管の屋外部分を覆う配管カバーに関する。
【背景技術】
【０００２】
昨今、種々の機能を有する空調機が出現している。例えば、室内機より室外へ換気ホースを設けた換気機能を有する空調機、或いは、室内機に設けたフィルターに付着したゴミを自動的に掃除する機能を有する空調機、或いは、掃除により収集したゴミを上述した換気用の風通路より自動的に排出する空調機などがある。
【０００３】
ところで、前述した換気機能を有する空調機における換気ホースは配管カバーにより保護されている。したがって、前記換気ホースは室内と室外との風通路を形成するものとなるが、その風通路から侵入する虫を除けるため、配管カバーとしては防虫フィルターを有しているものがある（例えば、特許文献１等参照）。
【先行技術文献】
【特許文献】
【０００４】
【特許文献１】特開２００８−１９０６３２号公報
【発明の概要】
【発明が解決しようとする課題】
【０００５】
上述した提案配管カバーにあっては、外壁に取付けられる配管カバー本体と、その配管カバー本体に取付けられる防虫フィルターと、その防虫フィルターの外側を覆う状態で配管カバー本体に取付けられる防虫フィルターカバーとを有する構成とされる。
【０００６】
また、上述したように室内機が掃除により収集したゴミを自動的に排出する空調機であっても、ゴミを配管カバーから排出したくない場合もあり、その場合には防虫フィルターにゴミが溜まってしまい、定期的な清掃作業を行う必要がある。
【０００７】
したがって、上記提案配管カバーによる場合には、配管カバーの施行完了の確認時や、防虫フィルターを掃除するとき、まず防虫フィルターカバーを配管カバー本体から取外し、その後に防虫フィルターを配管カバー本体から外す必要があり、作業性に難点があった。
【０００８】
本発明は、このような従来技術の課題を解決するためになされたものであり、作業性が向上された配管カバーを提供することを目的とする。
【課題を解決するための手段】
【０００９】
本発明は、外壁から導出された少なくとも換気用配管を覆う配管カバーにおいて、外壁に取付けられる配管カバー本体と、前記配管カバー本体に着脱可能に取付けられる防虫フィルターと、前記防虫フィルターの外側を覆う状態で前記防虫フィルターに着脱可能に取付けられる防虫フィルターカバーと、前記防虫フィルターと前記配管カバー本体との間に設けられ、回転を伴う操作により前記防虫フィルターを前記防虫フィルターカバーと一緒に前記配管カバー本体に対し係脱させる回転係脱手段とを具備することを特徴とする。本発明では、防虫フィルターカバーが防虫フィルターに取付けられるので、回転係脱手段を介して配管カバー本体から防虫フィルターを外すことにより、防虫フィルターと防虫フィルターカバーを一緒に取り外すことができ、作業性を向上させ得る。
【００１０】
前記配管カバーにおいて、前記回転係脱手段は、前記配管カバー本体及び前記防虫フィルターの一方に形成された円形孔の内周面に設けられた凹部と、前記配管カバー本体及び前記防虫フィルターの他方に形成され、前記円形孔に嵌め込むことにより位置決めされる環状突起と、前記環状突起に形成され、前記環状突起を前記円形孔に対して所定角度に回転させたときに前記凹部に係脱可能な突出部とを有するようにしてもよい。この構成の場合には、円形孔に環状突起を嵌め込むと配管カバー本体に対して防虫フィルターが所定の位置に位置決めされた状態になり、その状態で防虫フィルターを回転させると、環状突起の外側面に設けた突出部が円形孔の内周面に形成された凹部に出入りして係脱状態になる。
【００１１】
前記配管カバーにおいて、前記環状突起は、前記防虫フィルターの回転に伴って前記突出部を前記円形孔の内周面の凹凸に応じて環状突起の内外方向へ変位させる弾性変位部を有し、前記防虫フィルターが所定の角度から他の角度へ回転するときに、前記弾性変位部が前記円形孔の内側へ変位することに伴って前記突出部が前記凹部から抜け出ることで、前記防虫フィルターを前記配管カバー本体から外すことができるようにしてもよい。この構成の場合には、突出部が凹部から抜け出ようとすると、凹部の回転方向隣りに位置する凸部からの力を受けて弾性変位部が変形し、突出部が凹部から抜け出て非係止状態になる。よって、その非係止状態になる回転角度のとき防虫フィルターを配管カバー本体から外すことが可能になる。また、係脱時に、弾性変位部の変形を利用できるので、係止を確実な状態にする一方で、スムーズな装着、取外しを行うことができる。
【００１２】
更にまた、前記配管カバーにおいて、前記防虫フィルターカバーと前記防虫フィルターとの間に、前記防虫フィルターに対して前記防虫フィルターカバーを、引き抜き・押し付けを伴う操作により着脱可能に取付けるための直動係脱手段が設けられていることが好ましい。この構成の場合には、回転を伴う操作で係脱させる回転係脱手段とは操作方向が異なるので、直動係脱手段による係脱と回転係脱手段による係脱とが同時に行われることがなく、択一的に行うことができる。
【００１３】
更にまた、前記配管カバーにおいて、前記直動係脱手段は、前記防虫フィルターカバー及び前記防虫フィルターのうちの一方に設けられた凹状係止部と、前記防虫フィルターカバー及び前記防虫フィルターのうちの他方に設けられ、前記凹状係止部に係止される凸状被係止部とを有する構成とすることができる。
【００１４】
更にまた、前記配管カバーにおいて、前記防虫フィルターカバーは前記防虫フィルターの側面を覆う側壁部を有し、前記防虫フィルターの側面および前記防虫フィルターカバーの側壁部のうちの一方に、他方に嵌着される突条部が形成されていることが好ましい。この構成の場合には、防虫フィルターに防虫フィルターカバーを取付けた状態で、突条部が防虫フィルターの側面または防虫フィルターカバーの側壁部に嵌着されるので、防虫フィルターカバーの変形を抑制でき、これに伴って防虫フィルターカバーの防虫フィルターからの脱落を抑制し得る。
【００１５】
更にまた、前記配管カバーにおいて、前記防虫フィルターと前記配管カバー本体との間に、前記防虫フィルターが前記配管カバー本体から落下することを防止する落下防止手段が設けられている構成とすることができる。この構成の場合には、弾性変位部が変形して突出部が凹部から抜け出ようとしても、換言すると防虫フィルターが配管カバー本体から落下しようとしても、落下防止手段がその落下を防止することとなる。
【発明の効果】
【００１６】
本発明によれば、防虫フィルターカバーが防虫フィルターに取付けられるので、回転係脱手段を介して配管カバー本体から防虫フィルターを外すことにより、防虫フィルターと防虫フィルターカバーを一緒に取り外すことができ、作業性が向上された配管カバーを提供することができる。
【図面の簡単な説明】
【００１７】
【図１】本発明の一実施形態に係る配管カバーとこれにより覆われる配管とを示す模式図である。
【図２】本発明の一実施形態に係る配管カバーを示す分解斜視図である。
【図３】図１の配管カバーを示す縦断面図である。
【図４】図１の配管カバーを示す背面図である。
【図５】図１の配管カバーを示す正面図である。
【図６】図５の配管カバーを示す底面図である。
【図７】図１の配管カバーを構成する防虫フィルターを示す左側面図である。
【図８】図７の防虫フィルターを示す外観斜視図である。
【発明を実施するための形態】
【００１８】
以下に、本発明の実施形態につき具体的に説明する。
【００１９】
図１は本発明の一実施形態に係る配管カバーとこれにより覆われる配管とを示す模式図（縦断面図）であり、図２はその配管カバーを示す分解斜視図、図３はその配管カバーを示す縦断面図、図４はその配管カバーを示す背面図、図５はその配管カバーを示す正面図、図６はその配管カバーを示す底面図、図７はその配管カバーを構成する防虫フィルターを示す左側面図、図８はその防虫フィルターを示す外観斜視図である。
【００２０】
この配管カバー１は、建物の外壁５０の内側から外側へ導出された第１配管５１、第２配管５２の折れ曲がり部分５１ａ、５２ａを覆うものであり、第１配管５１についてはその折れ曲がり部分５１ａの少し下側の出口５１ｂも覆っている。第１配管５１は、換気用配管であり、第２配管５２は図示しない室内機と室外機を連結する配管である。なお、第２配管５２の内部には室内機と室外機を連結する電線が通されることもある。第２配管５２の配管カバー１で覆われた部分よりも下側の部分は、別の直管状の配管カバー５３により覆われる。
【００２１】
上記配管カバー１は、外壁５０に取付けられる配管カバー本体２と、配管カバー本体２に着脱可能に取付けられる防虫フィルター３と、防虫フィルター３の外側を覆う状態で防虫フィルター３に着脱可能に取付けられる防虫フィルターカバー４とを具備する。
【００２２】
配管カバー本体２は、２つの第１部分２Ａ、第２部分２Ｂに二分割された構成となっていて（図２参照）、両部分２Ａ、２Ｂを連結して使用される。第２部分２Ｂは外壁５０に沿う概略平面状のもので、第１部分２Ａは第２部分２Ｂと対向する対向部２Ａ１と、その対向部２Ａ１よりも上側の上側部２Ａ２と、対向部２Ａ１及び上側部２Ａ２の周囲であって下側を除く部分に形成された縁部２Ａ３とを有し、上側部２Ａ２に円形孔１１が形成されている。
【００２３】
第１部分２Ａには、外壁５０に取付ける取付孔２ａが複数、図示例では３つ形成され、第２部分２Ｂには２つの取付孔２ｂが形成されており、第１部分２Ａの下側の２つの取付孔２ａと第２部分２Ｂの２つの取付孔２ｂとは対応する位置に配設されていて、取付孔２ａ及び取付孔２ｂを介してビス止めし、第１部分２Ａの上端の１つの取付孔２ａを介してビス止めすることで、配管カバー本体２が外壁５０に取付けられる。なお、配管カバー本体２は、第２部分２Ｂを省略した構成や、第２部分２Ｂが第１部分２Ａに一体化された構成としてもよい。
【００２４】
前記防虫フィルター３は、縦断面が概略Ｌ字状に形成されていて、配管カバー本体２に対し取付けられる取付部３ａと、フィルター部３ｂとを有し、取付部３ａとフィルター部３ｂとのなす角度θは（図３参照）、９０゜よりも大きく、配管カバー本体２に防虫フィルター３を取付けた状態において、フィルター部３ｂは外壁５０寄りを高く、外壁５０から遠い側を低くするように傾斜している。上記取付部３ａは、前記上側部２Ａ２と略平行になっている。
【００２５】
また、フィルター部３ｂは、その幅方向Ｗに沿って配列されて複数の換気用長孔３ｈが形成されている（図６参照）。長孔３ｈは、前記幅方向Ｗと略直交する方向に長いものである。また、取付部３ａのフィルター部３ｂ寄りの部分には、フィルター部３ｂを切離すための凹溝３ｋが幅方向Ｗに形成されていて（図２、図８参照）、フィルター部３ｂを取付部３ａに対して相対的に折り曲げることで、フィルター部３ｂを凹溝３ｋの箇所で切離すことができるようになっている。
【００２６】
この防虫フィルター３は、防虫フィルター３と配管カバー本体２との間に設けた回転係脱手段１０により配管カバー本体２に着脱可能に取付けられる。また、前記防虫フィルターカバー４は、防虫フィルターカバー４と防虫フィルター３との間に設けた直動係脱手段２０により防虫フィルター３に着脱可能に取付けられる。
【００２７】
前記回転係脱手段１０は、着脱に際して回転を伴う操作を要するものであり、前記直動係脱手段２０は着脱に際して引き抜き・押し付けを伴う操作を要するものであり、前記回転係脱手段１０と前記直動係脱手段２０とは着脱方向が異なっている。このことは、後で詳述する。
【００２８】
回転係脱手段１０は、図２に示すように配管カバー本体２に形成された前記円形孔１１の周縁部に沿うように配管カバー本体２に設けられた第１係止部１２と、防虫フィルター３の取付部３ａの背面３ｍ側（配管カバー本体２側）に形成され、円形孔１１に嵌め込むことにより位置決めされる環状の位置決め用突起１３と、前記取付部３ａの配管カバー本体２側に配設され、所定角度に回転させたときに第１係止部１２に対して係脱可能な第１被係止部１４とを有する。なお、取付部３ａには、環状の突起１３の内側に円形の換気配管挿通孔３ｃが設けられている。この換気配管挿通孔３ｃは、少なくとも配管５１を挿通させることができる大きさであってもよい。
【００２９】
第１係止部１２は、円形孔１１の内周面１１ａに形成された複数（例えば４つ）の凹部１２ａを有し、これら凹部１２ａは等配位置、例えば時計の０時、３時、６時、９時の４等配の位置に配設されている。なお、図２には、上述した４つの凹部１２ａのうちの一つは、表れていない。
【００３０】
第１被係止部１４は、複数（図示例では４つ）の突出部１４ａを有し、各突出部１４ａは、環状の突起１３を円形孔１１に嵌め込んだ状態でその円形孔１１に沿うように、つまり環状の突起１３に沿うように配設され、かつ環状の突起１３の外側面に、突起１３の径方向の外方に突出するように設けられていて、防虫フィルター３の配管カバー本体２に対する相対的な回転により前記凹部１２ａのそれぞれに嵌り込む。これに伴って凹部１２ａの両側面１２ｂにより突出部１４ａは周方向に係止される。この係止により防虫フィルター３が回り止めされた状態で配管カバー本体２に取付けられる。ここで、特に断らない限り、周方向とは円形孔１１の周縁に沿った方向をいい、回転方向ともいう。また、突起１３の軸心の方向を軸方向といい、突起１３の内外方向を径方向という。更に、外壁５０側を背面側といい、外壁５０から離れる側を前面側という。
【００３１】
上記突出部１４ａの配置は、前記凹部１２ａと同様の配置に設定されている。また、突出部１４ａは、環状の突起１３に設けた弾性変位部１３ａの回転方向中央部に配設されている。弾性変位部１３ａは、突起１３の背面３ｍ側の内側を窪ませて薄肉にした部分により構成され、外力を受けると環状の突起１３の内外方向（径方向）へ弾性的に変位し、外力が作用しなくなると元の状態に戻るようになっている。この弾性変位部１３ａの存在により、突出部１４ａと凹部１２ａとの係脱が可能になっている。すなわち、防虫フィルター３が回転することにより、環状突起１３の外側面に設けた突出部１４ａが前記内周面１１ａにより押されて弾性変位部１３ａが変形し、円形孔１１の内周面１１ａに形成された凹部１２ａに入ると、突出部１４ａが凹部１２ａに係止されるとともに、弾性変位部１３ａが元の状態に戻る。また、防虫フィルター３が回転することにより突出部１４ａが凹部１２ａから抜け出ようとすると、凹部１２ａの回転方向隣りに位置する凸部（側面１２ｂ）からの力を受けて弾性変位部１３ａが変形し、突出部１４ａが凹部１２ａから抜け出て非係止状態になる。更に、係脱時に、弾性変位部１３ａの変形を利用できるので、係止を確実な状態にする一方で、スムーズな装着、取外しを行うことができる。
【００３２】
また、取付部３ａにおける弾性変位部１３ａの前面３ｉ側には、弾性変位部１３ａと周方向の幅寸法をほぼ等しくした孔３ｄが形成されていて、この孔３ｄの形成により弾性変位部１３ａの前記変位が小さな外力によって起こる。なお、弾性変位部１３ａは、この図示例では突出部１４ａの部分と突出部１４ａの両側の部分とを含む範囲に形成しているが、突出部１４ａの部分を省略し突出部１４ａの両側の部分のみに形成してもよい。
【００３３】
また、環状の突起１３には、各弾性変位部１３ａの間の部位に切欠部１３ｂがそれぞれ（合計４つ）設けられるとともに、それらの切欠部１３ｂには落下防止用の係止片１３ｃがそれぞれ設けられており（図８参照）、切欠部１３ｂの両側面１３ｂ１と係止片１３ｃとの間には隙間が形成されている（図８参照）。前記係止片１３ｃは、突起１３の突出方向と同じ方向に突出形成されていて、係止片１３ｃの先端側には径方向に突出するように係止爪１３ｄが設けられている。円形孔１１の内周面１１ａに形成された係止溝１１ｂ（図２参照）に係止爪１３ｄが係止されることにより、防虫フィルター３が配管カバー本体２から落下することが防止される。つまり、前記係止片１３ｃと係止溝１１ｂとは、落下防止手段を構成し、前記弾性変位部１３ａが変位して突出部１４ａが凹部１２ａから外れ、これに伴って防虫フィルター３が配管カバー本体２から落下することを、前記落下防止手段は防止する。なお、取付部３ａにおける係止片１３ｃの前面３ｉ側の端部の外側位置には、円弧状の長孔３ｅが形成されている。
【００３４】
また、突起１３の突出方向（取付部３ａの前後方向）において、上記係止爪１３ｄと上記突出部１４ａとの位置が異ならせてあり、係止爪１３ｄの係止溝１１ｂに対する軸方向の係止と、突出部１４ａの凹部１２ａに対する抜け止めとが支障無く行い得るようになっている。
【００３５】
また、前記上側部２Ａ２の前面３ｉ側（外壁取付側とは反対側）には、前記円形孔１１の周囲に、前面３ｉに向けて突出した環状の庇２ｂ（図３参照）が円形孔１１の全周にわたって設けられている。一方、防虫フィルター３には、外壁５０側に、防虫フィルター３を配管カバー本体２に取付けた状態で前記庇２ｂに当接する環状の当接部３ｊが形成されていて（図３参照）、防虫フィルター３と配管カバー本体２との当接部（隙間）ａから入った水分が、前記庇２ｂの外側に形成された空間３ｎ（図３参照）を介して外部へ排出されるようになっている。
【００３６】
前記直動係脱手段２０は、上述したように防虫フィルターカバー４と防虫フィルター３との間に設けられていて、引き抜き・押し付けを伴う操作を要するものであり、前記回転係脱手段１０とは操作方向が異なっている。この直動係脱手段２０は、防虫フィルター３に設けられた第２係止部２１と、防虫フィルターカバー４に設けられ、第２係止部２１に係止される第２被係止部２２とを備える。
【００３７】
防虫フィルターカバー４は、防虫フィルター３における取付部３ａの側面３ｆ、および取付部３ａの前面３ｉ及びフィルター部３ｂの上面を覆うように形成されていて（図７参照）、防虫フィルターカバー４における前記側面３ｆを覆う側壁部４ｂの内面４ａに、第２被係止部２２としての複数（図示例では５つ）の凸状被係止部２２ａが形成されている。一方、防虫フィルター３における取付部３ａの側面３ｆであって、凸状被係止部２２ａと対応する箇所には、複数（図示例では３つ）の凹状係止部３ｇが形成されており、これらの凹状係止部３ｇに前記凸状被係止部２２ａが係止される。これら凹状係止部３ｇは、第２係止部２１として設けられており、フィルター部３ｂに近い２つの凹状係止部３ｇには、それぞれ２つを１組とする凸状被係止部２２ａが係止され、フィルター部３ｂに遠い１つの凹状係止部３ｇには、１つの凸状被係止部２２ａが係止される。このような係止により、防虫フィルター３に防虫フィルターカバー４を取付けることができ、一方凹状係止部３ｇと凸状被係止部２２ａとを非係止状態にすると防虫フィルター３から防虫フィルターカバー４を取り外すことが可能になる。
【００３８】
なお、凹状係止部３ｇと凸状被係止部２２ａとの係止は、１つの凹状係止部３ｇに１つの凸状被係止部２２ａを係止する形態、或いは、１つの凹状係止部３ｇに２以上の凸状被係止部２２ａを係止する形態を選定することは自由である。また、凹状係止部を防虫フィルターカバー４に設け、凸状被係止部を防虫フィルター３における取付部３ａの側面３ｆに設けるようにしてもよい。
【００３９】
また、防虫フィルターカバー４の前記側壁部４ｂの内面４ａには複数（図示例では５つ）の突条部２３が形成されている（図２参照）。これら突条部２３は防虫フィルター３における取付部３ａの側面３ｆに嵌着され、防虫フィルターカバー４の変形を抑制し、これに伴って防虫フィルターカバー４の防虫フィルター３からの脱落を抑制するようになっている。なお、突条部２３は、防虫フィルターカバー４の内面４ａではなく側面３ｆに設けるようにしてもよく、或いは内面４ａと側面３ｆの両方に設けるようにしてもよい。
【００４０】
このように構成された本実施形態の配管カバー１にあっては、以下のように取付け・取外しが行われる。
【００４１】
まず、図略の結束ベルトを用いて、第２部分２Ｂを第２配管５２に取付け、その第２配管５２を第１部分２Ａと第２部分２Ｂの間に挟んだ状態で、配管カバー本体２を外壁５０に、取付孔２ａ、２ｂを介してビス止めすることにより取付ける。
【００４２】
次に、防虫フィルター３の配管挿通孔３ｃに第１配管５１の出側端を挿通させた状態で、防虫フィルター３の取付部３ａに設けた環状の突起１３を、配管カバー本体２に形成された円形孔１１に挿入する。これにより、防虫フィルター３の配管カバー本体２に対する位置決めが行われる。この位置決めに際して、弾性変位部１３ａが変形して突出部１４ａが径方向内側へ変位し、また係止片１３ｃが同じく径方向内側へ撓む。位置決めが行われた状態で、防虫フィルター３を配管カバー本体２に対して時計方向または反時計方向に回転させ、突出部１４ａと配管カバー本体２に設けた凹部１２ａとの位置を一致させると、突出部１４ａが凹部１２ａに嵌り込んで防虫フィルター３が配管カバー本体２に周方向に係止される。これと同時に、係止片１３ｃの係止爪１３ｄが、配管カバー本体２の係止溝１１ｂに軸方向に係止され、防虫フィルター３の落下が防止される。なお、突出部１４ａと凹部１２ａの位置が一致する状態で、防虫フィルター３を配管カバー本体２に取付ける場合は、時計方向または反時計方向への回転は省略し得る。
【００４３】
次に、防虫フィルターカバー４を防虫フィルター３に押し付けて取付ける。この取付けに際し、防虫フィルター３に設けた凹状係止部３ｇに対し、防虫フィルターカバー４に設けた凸状被係止部２２ａの位置を一致させ、凹状係止部３ｇに凸状被係止部２２ａを係止させる。この係止状態において、突条部２３が側面３ｆに嵌着して防虫フィルターカバー４の変形を抑制し、これに伴って防虫フィルターカバー４の防虫フィルター３からの脱落を抑制する。
【００４４】
以上のようにして、配管カバー本体２に防虫フィルター３が着脱可能に取付けられ、その防虫フィルター３に防虫フィルターカバー４が着脱可能に取付けられる。この取付け状態において、防虫フィルターカバー４に外力が作用し、弾性変位部１３ａが変形して突出部１４ａが環状の突起１３の内方へ変位し、凹部１２ａから突出部１４ａが抜け出て配管カバー本体２から防虫フィルター３が落下する虞があっても、落下防止手段としての係止片１３ｃの係止爪１３ｄと係止溝１１ｂとの係止により、防虫フィルター３の落下が防止される。
【００４５】
しかる後、上述した取付け状態から防虫フィルターカバー４を把持して引き抜くと、防虫フィルターカバー４のみを取り外すことができる。また、防虫フィルターカバー４を把持して一定角度（例えば２２．５゜程度）だけ回転させると、弾性変位部１３ａが変形して突出部１４ａが環状の突起１３の内方へ変位して凹部１２ａから外れるとともに、係止片１３ｃが同じく内方へ撓んで係止爪１３ｄが係止溝１１ｂから外れる。そして、この状態から防虫フィルターカバー４を引くと、防虫フィルター３と防虫フィルターカバー４を一緒に取り外すことができる。なお、防虫フィルター３と防虫フィルターカバー４を一緒に取り外すとき、一定角度（例えば２２．５゜程度）だけ回転させているが、その角度は単なる目安であり、突出部１４ａが凹部１２ａから外れかつ係止爪１３ｄが係止溝１１ｂから外れる角度であればよい。
【００４６】
以上説明したように、本実施形態による場合には、防虫フィルターカバー４が防虫フィルター３に取付けられるので、回転係脱手段１０を介して配管カバー本体２から防虫フィルター３を外すことにより、防虫フィルター３と防虫フィルターカバー４を一緒に取り外すことができ、作業性を向上させ得る。また、円形孔１１に環状突起１３を嵌め込むと配管カバー本体２に対して防虫フィルター３が所定の位置に位置決めされた状態になり、その状態で防虫フィルター３を回転させると、環状突起１３の外側面に設けた突出部１４ａが円形孔１１の内周面１１ａに形成された凹部１２ａに出入りして係脱状態になる。
【００４７】
また、本実施形態において、環状突起１３は、防虫フィルター３の回転に伴って突出部１４ａを円形孔１１の内周面１１ａの凹凸に応じて環状突起１３の内外方向へ変位させる弾性変位部１３ａを有し、防虫フィルター３が所定の角度から他の角度へ回転するときに、弾性変位部１３ａが円形孔１１の内側へ変位することに伴って突出部１４ａが凹部１２ａから抜け出ることで、防虫フィルター３を配管カバー本体２から外すことができるように構成されているので、突出部１４ａが凹部１２ａから抜け出ようとすると、凹部１２ａの回転方向隣りに位置する凸部（前記側面１２ｂ）からの力を受けて弾性変位部１３ａが変形し、突出部１４ａが凹部１２ａから抜け出て非係止状態になる。よって、その非係止状態になる回転角度のとき防虫フィルター３を配管カバー本体２から外すことが可能になる。また、係脱時に、弾性変位部１３ａの変形を利用できるので、係止を確実な状態にする一方で、スムーズな装着、取外しを行うことができる。
【００４８】
更に、本実施形態において、防虫フィルターカバー４と防虫フィルター３との間に、防虫フィルター３に対して防虫フィルターカバー４を、引き抜き・押し付けを伴う操作により着脱可能に取付けるための直動係脱手段２０が設けられているので、回転を伴う操作で係脱させる回転係脱手段１０とは操作方向が異なるので、直動係脱手段２０による係脱と回転係脱手段１０による係脱とが同時に行われることがなく、択一的に行うことができる。
【００４９】
更にまた、本実施形態において、防虫フィルターカバー４は防虫フィルター３の側面３ｆを覆う側壁部４ｂを有し、その側壁部４ｂに、防虫フィルター３の側面３ｆに嵌着される突条部２３が形成されているので、防虫フィルター３に防虫フィルターカバー４を取付けた状態で、突条部２３が防虫フィルター３の側面３ｆに嵌着されるので、防虫フィルターカバー４の変形を抑制でき、これに伴って防虫フィルターカバー４の防虫フィルター３からの脱落を抑制し得る。
【００５０】
更にまた、本実施形態において、防虫フィルター３と配管カバー本体２との間に、防虫フィルター３が配管カバー本体２から落下することを防止する落下防止手段（係止片１３ｃと係止溝１１ｂ）が設けられているので、弾性変位部１３ａが変形して突出部１４ａが凹部１２ａから抜け出ようとしても、換言すると防虫フィルター３が配管カバー本体２から落下しようとしても、前記落下防止手段がその落下を防止することとなる。
【００５１】
なお、上述した実施形態では、落下防止手段として防虫フィルター３に係止片１３ｃを設け、配管カバー本体２に係止溝１１ｂを設けているが、本発明はこれとは逆に、防虫フィルター３に係止溝１１ｂを設け、配管カバー本体２に係止片１３ｃを設けてもよい。
【００５２】
また、上述した実施形態では、直動係脱手段２０として、防虫フィルター３に設けられた第２係止部２１（凹状係止部３ｇ）と、防虫フィルターカバー４に設けられ、第２係止部２１に係止される第２被係止部２２（凸状被係止部２２ａ）とを備えるが、本発明はこれとは逆に、防虫フィルターカバー４に凹状係止部３ｇを設け、防虫フィルター３に凸状被係止部２２ａを設けた構成としてもよい。
【００５３】
更に、上述した実施形態では、配管カバー１は第１配管５１の折れ曲がり部分５１ａから出口５１ｂまでを覆うとともに、第２配管５２の折れ曲がり部分５２ａを覆う構成になっているが、本発明はこれに限らず、少なくとも第１配管５１の折れ曲がり部分５１ａから出口５１ｂまでを覆う構成としてもよい。
【符号の説明】
【００５４】
１    配管カバー
２    配管カバー本体
３    防虫フィルター
３ｇ    凹部
３ｆ    側面
４    防虫フィルターカバー
１０    回転係脱手段
１１    円形孔
１１ｂ    係止溝（落下防止手段）
１２    第１係止部
１２ａ    凹部
１３    位置決め用突起
１３ａ    弾性変位部
１３ｃ    係止片（落下防止手段）
１４    第１被係止部
１４ａ    突出部
２０    直動係脱手段
２１    第２係止部
２２    第２被係止部
２２ａ    凸状被係止部
２３    突条部
５０    建物の外壁
５１    配管
【図１】
0005444042.tif 000002
【図２】
0005444042.tif 000003
【図３】
0005444042.tif 000004
【図４】
0005444042.tif 000005
【図５】
0005444042.tif 000006
【図６】
0005444042.tif 000007
【図７】
0005444042.tif 000008
【図８】
0005444042.tif 000009